(57)【特許請求の範囲】
【請求項１】
電力系統に設置される複数の分散型電源を制御する制御装置であって、
前記分散型電源のそれぞれの発電量を取得する発電量取得部と、
前記電力系統に設置されている計測器から、前記電力系統の電力の状態に応じて変動する計測値を取得する系統状態取得部と、
前記計測値と、前記計測値の目標値と、の比較の結果に応じて、前記分散型電源による発電量の抑制量を求める抑制量算定部と、
前記分散型電源のそれぞれの前記発電量と、前記抑制量とに基づいて、前記電力系統から解列させる分散型電源を選出する解列選出部と、
解列対象として選出した前記分散型電源を前記電力系統から解列させるための解列指令を、解列対象の前記分散型電源に送信する解列実行部と、
前記複数の分散型電源のそれぞれについての、所定期間内における解列の合計時間の最大値である最大抑制時間と、前記所定期間において既に解列した合計時間である合計抑制時間と、が記録されたテーブルと、
を備え、
前記解列選出部は、解列対象の前記分散型電源を選出する際に、前記最大抑制時間と前記合計抑制時間との比が均等になるように、前記電力系統から解列させる分散型電源を選出し、
前記解列実行部は、解列対象の前記分散型電源が複数ある場合には、解列対象のそれぞれの前記分散型電源に対して、逐次的に、前記解列指令を送信する
ことを特徴とする制御装置。
【請求項２】
請求項１に記載の制御装置であって、
前記解列選出部は、解列対象の前記分散型電源を選出する際に、前記電力系統に連系中の分散型電源の中から候補として選出した一つ以上の分散型電源の発電量の合計と、前記抑制量と、の差分が所定値以下になるように、解列対象の前記分散型電源を選出する
ことを特徴とする制御装置。
【請求項３】
請求項１に記載の制御装置であって、
前記系統状態取得部は、前記解列実行部が、逐次的に解列対象の一つの分散型電源に対して前記解列指令を送信する毎に、前記計測器から新たな前記計測値を取得し、
前記抑制量算定部は、前記新たな計測値と前記目標値との比較の結果に応じて、新たな前記抑制量を算出し、
前記解列選出部は、前記電力系統に連系中の前記分散型電源のそれぞれの発電量と、前記新たな抑制量とに基づいて、前記電力系統から次に解列させる一つの分散型電源を選出し、
前記解列実行部は、解列対象として選出した前記次に解列させる一つの分散型電源に対して、前記解列指令を送信する
ことを特徴とする制御装置。
【請求項４】
請求項１〜３のいずれかに記載の制御装置であって、
前記解列実行部は、解列対象の前記分散型電源が複数ある場合には、解列対象のそれぞれの前記分散型電源に対して、所定時間以上の間隔を空けながら、逐次的に、前記解列指令を送信する
ことを特徴とする制御装置。
【請求項５】
請求項１〜４のいずれかに記載の制御装置であって、
前記電力系統に設置される前記複数の分散型電源のそれぞれについて、前記解列選出部による前記選出の可否を示す情報を記録した解列可否テーブル
を備え、
前記解列選出部は、解列対象の前記分散型電源を選出する際に、前記電力系統に連系中であり、かつ、前記解列可否テーブルに選出可の旨が記録された分散型電源の中から、前記電力系統から解列させる分散型電源を選出する
ことを特徴とする制御装置。
【請求項６】
請求項１〜５のいずれかに記載の制御装置であって、
前記計測値と、前記目標値との比較の結果に応じて、前記分散型電源による発電量の増加量を求める増加量算定部と、
前記電力系統から解列中の分散型電源のそれぞれの発電量と、前記増加量とに基づいて、前記解列中の分散型電源の中から、前記電力系統に並列させる分散型電源を選出する並列選出部と、
並列対象として選出した前記分散型電源を前記電力系統に並列するための並列指令を、並列対象の前記分散型電源に送信する並列実行部と、
を備え、
前記並列実行部は、並列対象の前記分散型電源が複数ある場合には、並列対象のそれぞれの前記分散型電源に対して、逐次的に、前記並列指令を送信する
ことを特徴とする制御装置。
【請求項７】
電力系統に設置される複数の分散型電源を制御する制御装置の制御方法であって、
前記制御装置が、前記複数の分散型電源のそれぞれについての、所定期間内における解列の合計時間の最大値である最大抑制時間と、前記所定期間において既に解列した合計時間である合計抑制時間と、を記録し、
前記制御装置が、前記分散型電源のそれぞれの発電量を取得し、
前記制御装置が、前記電力系統に設置されている計測器から、前記電力系統の電力の状態に応じて変動する計測値を取得し、
前記制御装置が、前記計測値と、前記計測値の目標値との比較の結果に応じて、前記分散型電源による発電量の抑制量を求め、
前記制御装置が、前記分散型電源のそれぞれの前記発電量と、前記抑制量とに基づいて、前記電力系統から解列させる分散型電源を選出し、
前記制御装置が、解列対象として選出した前記分散型電源を前記電力系統から解列させるための解列指令を、解列対象の前記分散型電源に送信し、
前記制御装置が、解列対象の前記分散型電源を選出する際に、前記最大抑制時間と前記合計抑制時間との比が均等になるように、前記電力系統から解列させる分散型電源を選出し、
前記制御装置が、解列対象の前記分散型電源が複数ある場合には、解列対象のそれぞれの前記分散型電源に対して、逐次的に、前記解列指令を送信する
ことを特徴とする制御装置の制御方法。
【請求項８】
電力系統に設置される複数の分散型電源を制御する制御装置に、
前記複数の分散型電源のそれぞれについての、所定期間内における解列の合計時間の最大値である最大抑制時間と、前記所定期間において既に解列した合計時間である合計抑制時間と、を記録する手順と、
前記分散型電源のそれぞれの発電量を取得する手順と、
前記電力系統に設置されている計測器から、前記電力系統の電力の状態に応じて変動する計測値を取得する手順と、
前記計測値と、前記計測値の目標値との比較の結果に応じて、前記分散型電源による発電量の抑制量を求める手順と、
前記分散型電源のそれぞれの前記発電量と、前記抑制量とに基づいて、前記電力系統から解列させる分散型電源を選出する手順と、
解列対象として選出した前記分散型電源を前記電力系統から解列させるための解列指令を、解列対象の前記分散型電源に送信する手順と、
を実行させ、
解列対象の前記分散型電源を選出する前記手順において、前記最大抑制時間と前記合計抑制時間との比が均等になるように、前記電力系統から解列させる分散型電源を選出すると共に、
解列対象の前記分散型電源に前記解列指令を送信する前記手順において、解列対象の前記分散型電源が複数ある場合には、解列対象のそれぞれの前記分散型電源に対して、逐次的に、前記解列指令を送信する手順を実行させる
ことを特徴とするプログラム。
【発明の詳細な説明】
【技術分野】
【０００１】
本発明は、制御装置、制御装置の制御方法及びプログラムに関する。
【背景技術】
【０００２】
電力系統上の電力は、需要と供給のバランスが崩れると周波数や電圧等が変化する。そのため電力会社は、日々電力需要量の予測を行い、需要と供給のバランスを維持するように発電所での発電量を制御している。
【０００３】
一方で近年、メガソーラー級の太陽光発電設備や、大規模な風力発電所などの自然エネルギーを利用した大規模な分散型電源が各地に設置され、次々に運用を開始している。
【０００４】
そしてこのような分散型電源からの発電量を平準化するための技術も開発されている（例えば特許文献１参照）。
【先行技術文献】
【特許文献】
【０００５】
【特許文献１】特開２００６−２２６１８９号公報
【発明の概要】
【発明が解決しようとする課題】
【０００６】
しかしながら分散型電源から電力系統への電力供給量の比率が増すにつれ、発電所の発電量を調整するのみではなく、状況に応じて分散型電源を電力系統から解列するような運用も考慮されている。
【０００７】
一方で、分散型電源を電力系統から解列する際に、電力系統への電力供給量が急激に変化すると、電圧や周波数が大きく変化し、需要者に提供される電力の品質を低下させる可能性も想定される。
【０００８】
本発明は上記課題を鑑みてなされたものであり、分散型電源に対する制御を行う際に電力系統へ与える影響を小さくすることを一つの目的とする。
【課題を解決するための手段】
【０００９】
一つの側面に係る制御装置は、電力系統に設置される複数の分散型電源を制御する制御装置であって、前記分散型電源のそれぞれの発電量を取得する発電量取得部と、前記電力系統に設置されている計測器から、前記電力系統の電力の状態に応じて変動する計測値を取得する系統状態取得部と、前記計測値と、前記計測値の目標値と、の比較の結果に応じて、前記分散型電源による発電量の抑制量を求める抑制量算定部と、前記分散型電源のそれぞれの前記発電量と、前記抑制量とに基づいて、前記電力系統から解列させる分散型電源を選出する解列選出部と、解列対象として選出した前記分散型電源を前記電力系統から解列させるための解列指令を、解列対象の前記分散型電源に送信する解列実行部と、前記複数の分散型電源のそれぞれについての、所定期間内における解列の合計時間の最大値である最大抑制時間と、前記所定期間において既に解列した合計時間である合計抑制時間と、が記録されたテーブルと、を備え、前記解列選出部は、解列対象の前記分散型電源を選出する際に、前記最大抑制時間と前記合計抑制時間との比が均等になるように、前記電力系統から解列させる分散型電源を選出し、前記解列実行部は、解列対象の前記分散型電源が複数ある場合には、解列対象のそれぞれの前記分散型電源に対して、逐次的に、前記解列指令を送信する。
【００１０】
その他、本願が開示する課題、及びその解決方法は、発明を実施するための形態の欄の記載、及び図面の記載等により明らかにされる。
【発明の効果】
【００１１】
分散型電源に対する制御を行う際の電力系統への影響を小さくすることができる。
【図面の簡単な説明】
【００１２】
【図１】本実施形態に係る電力系統を示す図である。
【図２】本実施形態に係る系統制御装置を示す図である。
【図３】本実施形態に係る記憶装置を示す図である。
【図４】本実施形態に係る分散型電源情報テーブルを示す図である。
【図５】本実施形態に係る抑制復帰管理テーブルを示す図である。
【図６】本実施形態に係る処理の流れを示すフローチャートである。
【発明を実施するための形態】
【００１３】
本明細書および添付図面の記載により、少なくとも以下の事項が明らかとなる。
【００１４】
本実施形態に係る電力系統１０００の全体構成を図１に示す。本実施形態に係る電力系統１０００は、一例として送電系統として構成され、発電所５００、及び発電所５００から延設される送電線７００を有して構成される。そして送電線７００には、複数の分散型電源（本実施形態では複数の太陽光発電設備２００）が設置されている。また図１には示されていないが、送電線７００には、一次変電所や二次変電所等の各種変電所が設けられている。
【００１５】
発電所５００は、水力発電所や火力発電所、原子力発電所などのように、発電のためのエネルギー使用量を制御することによって、発電量を制御可能な発電所であり、発電機５１０により発電された電力を、母線５２０及び保護装置５３０を介して送電線７００に供給している。保護装置５３０は、例えば規定値以上の電流が流れると電路を遮断し、発電所５００から送電線７００への電力供給を停止する。
【００１６】
なお、本実施形態に係る発電機５１０及び保護装置５３０には、電圧や電流、周波数、力率などの、電力系統１０００の状態に応じて変動する物理量を計測可能な不図示の計測器が設けられており、随時、これらの情報を、通信可能に接続される系統制御装置１００に送信している。
【００１７】
太陽光発電設備２００は、ソーラーパネル２２０とＰＣＳ（Power Conditioning System）２１０とを有して構成される。太陽光発電設備２００による発電量は、日射量によって変動する。
【００１８】
太陽光発電設備２００によって発電された電力は、太陽光発電設備２００からの電力供給を受ける図示しない構内の負荷によって消費される一方で、余剰電力が生じた場合にはＰＣＳ２１０を通じて送電線７００に供給される。
【００１９】
このため発電機５１０は、毎日の気象条件や時間帯によって変動する電力需要のみならず、太陽光発電設備２００の発電量（過去の発電量の実績値や現在値、所定時間後の予測値、さらにはこれらの推移など）の変動を適宜考慮しながら、電力系統１０００における電力の品質（例えば電圧や周波数、力率など）が適切に維持されるように（規定の範囲内に収まるように）、発電量を制御している。
【００２０】
ＰＣＳ２１０は、電力系統１０００への並列および解列を切替可能であり、例えば太陽光発電設備２００や送電線７００に事故が発生した場合に、太陽光発電設備２００を電力系統１０００から解列する。またＰＣＳ２１０は、通信可能に接続された系統制御装置１００から送信される指令（並列指令、解列指令）によっても、太陽光発電設備２００を電力系統１０００に並列あるいは解列する。
【００２１】
またＰＣＳ２１０は、太陽光発電設備２００の発電量を計測可能な計測器を有しており、随時（例えば１０分おきに）系統制御装置１００に送信している。
【００２２】
系統制御装置１００は、電力系統１０００に設けられている複数の太陽光発電設備２００を制御する装置（制御装置）である。
【００２３】
例えば系統制御装置１００は、上述したように、発電機５１０や保護装置５３０等に設置されている計測器から、電圧や電流、周波数、力率などの電力系統１０００の電力の状態に応じて変動する物理量（計測値）を取得し、太陽光発電設備２００を電力系統１０００から解列させる場合には、解列対象の太陽光発電設備２００に解列指令を送信する。
【００２４】
また系統制御装置１００は、解列中の太陽光発電設備２００を電力系統１０００に並列する場合には、復帰対象の太陽光発電設備２００に並列指令を送信する。
【００２５】
次に、本実施形態に係る系統制御装置１００の構成を図２に示す。
【００２６】
系統制御装置１００は、ＣＰＵ（Central Processing Unit）１１０、メモリ１２０、通信装置１３０、記憶装置１４０、入力装置１５０、出力装置１６０、及び記録媒体読取装置１７０を備える。
【００２７】
ＣＰＵ１１０は系統制御装置１００の全体の制御を司るもので、記憶装置１４０に記憶された制御プログラム６００をメモリ１２０に読み出して実行することにより、系統制御装置１００としての各種機能を実現する。例えば、発電量取得部、系統状態取得部、抑制量算定部、解列選出部、解列実行部、増加量算定部、並列選出部、並列実行部が実現される。
【００２８】
記録媒体読取装置１７０は、記録媒体８００に記録されている制御プログラム６００や各種データの読み取りや書き込みを行うための装置である。読み取られた制御プログラム６００やデータはメモリ１２０や記憶装置１４０に格納される。
【００２９】
記録媒体８００としてはフレキシブルディスクや磁気テープ、光磁気ディスク、半導体メモリ等を用いることができる。
【００３０】
入力装置１５０は、オペレータ等による系統制御装置１００へのデータ入力等のために用いられる装置でありユーザインタフェースとして機能する。入力装置１５０としては例えばキーボードやマウス等を用いることができる。
【００３１】
出力装置１６０は、情報を外部に出力するための装置でありユーザインタフェースとして機能する。出力装置１６０としては例えばディスプレイやプリンタ等を用いることができる。
【００３２】
通信装置１３０は通信を行うための装置である。通信装置１３０は、例えば発電機５１０や保護装置５３０、ＰＣＳ２１０から送られてくる各種の計測値や発電量等のデータを受信する。また通信装置１３０は、ＰＣＳ２１０に対して解列指令や並列指令を送信する。さらに通信装置１３０は、インターネット等の通信網を介して他のコンピュータと通信可能に接続されるようにしても良い。
【００３３】
記憶装置１４０は例えばハードディスク装置により構成される。図３に示すように、記憶装置１４０には制御プログラム６００、分散型電源情報テーブル（解列可否テーブル）６１０、抑制復帰管理テーブル６２０が記憶されている。
【００３４】
本実施形態に係る分散型電源情報テーブル６１０を図４に示す。分散型電源情報テーブル６１０は、”識別情報”欄、”設置場所”欄、”発電量”欄、”抑制制御可否”欄、”最大抑制時間”欄、”合計抑制時間”欄を備える。
【００３５】
”識別情報”欄には、太陽光発電設備２００の識別情報が記載される。
【００３６】
”設置場所”欄には、電力系統１０００における太陽光発電設備２００の設置場所を特定する情報が記載される。
【００３７】
”発電量”欄には、本実施形態では、ＰＣＳ２１０から送信された太陽光発電設備２００の現在の発電量（最新の発電量）が記載される。なお、発電量欄に記載される発電量は、過去の直近の所定期間（例えば１時間）における発電量の平均値や、現在から所定期間後（例えば１時間後）の発電量の予測値であってもよい。
【００３８】
”抑制制御可否”欄には、系統制御装置１００が電力系統１０００から太陽光発電設備２００を解列させるようとする場合に、解列対象として選出され得るか否かを示す抑制制御可否情報が記録される。抑制制御可否は、例えば、系統制御装置１００を管理する電力会社などの管理者と、太陽光発電設備２００の管理者との間で交わされる契約により取り決められる。抑制制御可否情報が「可」の場合は、解列対象として選出され得ることを示し、「否」の場合は、解列対象として選出されないことを示す。
【００３９】
このように電力系統１０００に設置される複数の太陽光発電設備２００のそれぞれについて、解列対象としての選出の可否を示す情報を記録しておくことによって、個々の太陽光発電設備２００の運用方針に応じて適切に対応することが可能となる。
【００４０】
”最大抑制時間”欄には、抑制制御可否情報が「可」である場合に、所定期間（例えば過去１か月の期間）内における解列の合計時間の最大値が記録されている。この最大抑制時間も、電力会社と太陽光発電設備２００の管理者との間で交わされる契約により取り決められる。
【００４１】
”合計抑制時間”欄には、上記所定期間において既に解列した時間の合計（解列した累積時間）が記載される。
【００４２】
本実施形態に係る系統制御装置１００は、一例として、電力系統１０００から解列させる太陽光発電設備２００を選出する際に、抑制制御可否情報が「可」である太陽光発電設備２００のそれぞれの、最大抑制時間と合計抑制時間との比が均等になるように選出する。具体的には、系統制御装置１００は、合計抑制時間／最大抑制時間の値が小さな太陽光発電設備２００を優先的に解列対象として選出するようにする。このような態様によれば、電力会社と太陽光発電設備２００の管理会社との契約による最大抑制時間の範囲内で、各太陽光発電設備２００を公平に電力系統１０００から解列させることが可能となる。
【００４３】
次に、本実施形態に係る抑制復帰管理テーブル６２０を図５に示す。抑制復帰管理テーブル６２０は、”抑制順位”欄、”抑制対象”欄、”見込み抑制量”欄、”復帰順位”欄、”抑制中”欄を備える。
【００４４】
”抑制順位”欄には、系統制御装置１００によって解列対象として選出された太陽光発電設備２００に割り当てられる、解列実行時の順序を示す情報が記載される。本実施形態では、抑制順位が１に割り当てられた太陽光発電設備２００から先に、各太陽光発電設備２００が逐次的に解列させられる。
【００４５】
このように逐次的に太陽光発電設備２００を解列するようにすることによって、複数の太陽光発電設備２００が一斉に電力系統１０００から解列しないように制御できるので、電力系統１０００への影響が抑制され、電力の品質低下を防止することが可能となる。
【００４６】
”抑制対象”欄には、それぞれの抑制順位に割り当てられた太陽光発電設備２００の識別情報が記載される。
【００４７】
”見込み抑制量”欄には、その太陽光発電設備２００を電力系統１０００から解列することによって見込まれる電力系統１０００への電力供給量の減少量が記載される。例えば見込み抑制量として、分散型電源情報テーブル６１０の”発電量”欄に記載されている発電量が記載される。
【００４８】
”復帰順位”欄には、一旦電力系統１０００から解列した太陽光発電設備２００を、電力系統１０００に再び連系させる場合の優先順位が記載される。例えば、先に解列した太陽光発電設備２００が先に並列するように定めてもよい。このような態様により、各太陽光発電設備２００に対する解列及び並列の制御を公平に行うことが可能となる。図５に示す例では、電力系統１０００から解列中の「Ｂ」及び「Ｆ」で特定される２つの太陽光発電設備２００について、復帰順位が定められている。
【００４９】
なお、後述するが、系統制御装置１００が電力系統１０００に一つの太陽光発電設備２００を並列する毎に、次に並列する太陽光発電設備２００を一つ選出するように制御する場合には、復帰順位は、一つの太陽光発電設備２００が並列対象として選出される毎に定めるようにする。
【００５０】
”抑制中”欄には、抑制復帰管理テーブル６２０に掲載されている太陽光発電設備２００が現在、電力系統１０００に連系中であるか、解列中であるか、を示す情報が記載される。
【００５１】
図５に示す例では、「Ｂ」「Ｆ」「Ａ」で特定される太陽光発電設備２００が電力系統１０００からの解列対象として選出されており、そのうち、抑制順位第１位の「Ｂ」、及び第２位の「Ｆ」で特定される太陽光発電設備２００は電力系統１０００から既に解列しており、抑制順位が第３位の「Ａ」で特定される太陽光発電設備２００は、まだ電力系統１０００に連系中であり、解列していないことを示す。
【００５２】
系統制御装置１００は、この状態で、電力系統１０００への更なる電力供給の抑制が必要と判断する場合には、電力系統１０００に連系中であり、かつ、抑制順位が第３位の「Ａ」で特定される太陽光発電設備２００に対して解列指令を送信し、電力系統１０００から解列させる。
【００５３】
逆に、系統制御装置１００は、この状態で、電力系統１０００への電力供給の増加が必要と判断する場合には、電力系統１０００から解列中であり、かつ、復帰順位が第１位の「Ｂ」で特定される太陽光発電設備２００に対して、電力系統１０００への並列指令を送信し、電力系統１０００に並列する。
【００５４】
次に、本実施形態に係る系統制御装置１００が、電力系統１０００に設置される複数の太陽光発電設備２００に対する解列及び並列を制御する際の処理の流れを、図６に示すフローチャートを参照しながら説明する。
【００５５】
まず系統制御装置１００は、抑制制御フラグを０に初期化する（S1000）。抑制制御フラグは、系統制御装置１００が、電力系統１０００に設置されている少なくとも一つの太陽光発電設備２００に対して解列を行っている場合に１となり、いずれの太陽光発電設備２００に対しても解列を行っていない場合（全て連系している場合）に０となる。
【００５６】
続いて系統制御装置１００は、系統情報を取得する（S1010）。具体的には、系統制御装置１００は、電力系統１０００に設置されているそれぞれの太陽光発電設備２００からそれぞれの発電量（ここでは例えば現在の発電量）を取得し、分散型電源情報テーブル６１０に記載すると共に、発電機５１０や保護装置５２０等に設置されている計測器から、電力系統１０００の電力の状態に応じて変動する計測値（電圧、電流、周波数、力率など）を取得する。
【００５７】
そして系統制御装置１００は、この計測値を目標値（図６に示す例では、第２判定値以上第１判定値以下の範囲が目標値となる）と比較し、電力系統１０００に対する電力供給量を抑制するか、増加するか、あるいは何もしないかを判定する（S1030）。
【００５８】
例えば、発電機５１０の周波数が目標値に対して高い場合や、電力系統１０００の電圧が目標値に対して高い場合には、電力需要に対して電力供給量が過剰であるため、系統制御装置１００は、電力系統１０００への電力供給量を抑制すると判定する。逆に発電機５１０の周波数が目標値に対して低い場合や、電力系統１０００の電圧が目標値に対して低い場合には、電力需要に対して電力供給量が不足であるため、系統制御装置１００は、電力系統１０００に対する電力供給量を増加すると判定する。
【００５９】
図６に示す例では、系統制御装置１００は、計測値（例えば発電機５１０の周波数）が第１判定値よりも大きい場合には、目標値の範囲を外れており、電力系統１０００への電力供給量を抑制すると判定する。
【００６０】
なおS1030において、系統制御装置１００は、上記計測値を基に、電力系統１０００の電力需給のバランスを示す指標値を算出して、この指標値を目標値と比較することによって、電力系統１０００への電力供給量を抑制するか増加するかを判定するようにしてもよい。この場合、この指標値は、例えば比較的短時間の電力変動量による発電機５１０の周波数変動や運転予備力、あるいは比較的長時間の電力系統１０００の電圧や周波数滞在率などとすることができる。
【００６１】
そして系統制御装置１００は、電力系統１０００への電力供給量を抑制すると判定した場合には、抑制制御フラグを１にセットして（S1050）、電力系統１０００から解列させる太陽光発電設備２００を選出した上で、抑制復帰管理テーブル６２０を作成する(S1060)。
【００６２】
このとき系統制御装置１００は、まず、上記の計測値を基に、太陽光発電設備２００に削減させるべき電力供給量（分散型電源による発電量の抑制量）を求め、次に、この抑制量の分の電力供給を削減するために、電力系統１０００から解列させるべき太陽光発電設備２００を選出する。
【００６３】
より具体的には、系統制御装置１００は、図４に示した分散型電源情報テーブル６１０を参照しながら、電力系統１０００から解列可能な太陽光発電設備２００の中から、上記の抑制量に相当する電力を削減し得る太陽光発電設備２００の組み合わせを、各太陽光発電設備２００の発電量を元に選出する。例えば抑制量が２０ＭＷ（メガワット）である場合には、解列対象として選出する太陽光発電設備２００の現在の発電量の合計値と、抑制量である２０ＭＷと、の差分が所定値以下（例えば±５ＭＷ）となるように選出する。このような態様によれば、電力系統１０００における電力の状態を精度良く維持することが可能となる。
【００６４】
またその際に、系統制御装置１００は、最大抑制時間と合計抑制時間との比率が均等になるように、解列対象とする太陽光発電設備２００を選出する。
【００６５】
具体的には系統制御装置１００は、合計抑制時間／最大抑制時間の値が小さな太陽光発電設備２００ほど優先的に電力系統１０００から解列されるように、優先順位（抑制順位）をつけて選出する。
【００６６】
この後、系統制御装置１００は、例えば図５に示すように、抑制復帰管理テーブル６２０を作成する（S1060）。
【００６７】
続いて系統制御装置１００は、抑制復帰管理テーブル６２０の抑制順位に従って、各解列対象の太陽光発電設備２００のＰＣＳ２１０に対して電力系統１０００から解列させるための解列指令を送信する（S1070）。このとき系統制御装置１００は、解列対象の太陽光発電設備２００が複数ある場合には、解列対象のそれぞれの太陽光発電設備２００に対して、逐次的に、解列指令を送信する。
【００６８】
具体的には、系統制御装置１００は、図５の抑制復帰管理テーブル６２０に従って、まず抑制順位第１位の「Ｂ」で特定される太陽光発電設備２００に対して解列指令を送信する。そして系統制御装置１００は、抑制中欄に「Ｙ」を記入し、所定時間（例えば５分）待機する（S1080）。
【００６９】
そして系統制御装置１００は、再び系統情報（新たな計測値）を取得して（S1010）、この新たな計測値（発電機５１０の周波数）が第１判定値よりも未だ大きい場合には、系統制御装置１００は、次の優先順位の太陽光発電設備２００を電力系統１０００から解列させると判定する（S1030）。
【００７０】
そして系統制御装置１００は、抑制制御フラグ＝１であるため（S1040）、S1070の処理を実行し、抑制復帰管理テーブル６２０の次の抑制順位（第２位）に従って、「Ｆ」で特定される太陽光発電設備２００のＰＣＳ２１０に対して電力系統１０００から解列させるための解列指令を送信する。
【００７１】
このような態様によって、複数の太陽光発電設備２００が一斉に電力系統１０００から解列しないように制御できるので、電力系統１０００への影響が抑制され、電力の品質低下を防止することが可能となる。また各太陽光発電設備２００を電力系統１０００から逐次的に解列する際に、所定時間以上の間隔を空けながら行うことにより、太陽光発電設備２００を電力系統１０００から一つ解列する毎に変動する電力系統１０００の状態が安定するのを待ってから、次の太陽光発電設備２００を解列するか否かを判定することができるので、より一層電力系統１０００への影響を抑制し、電力の品質低下を防止することが可能となる。
【００７２】
一方、S1030において、計測値を目標値（図６に示す例では、第２判定値以上第１判定値以下の範囲）と比較した結果、計測値が第２判定値未満である場合には、系統制御装置１００は、電力系統１０００への電力供給量を増加すると判定する（S1030）。
【００７３】
そしてこの場合、系統制御装置１００はS1090に処理を進める。そして系統制御装置１００は、抑制制御フラグが０である場合には、解列中の太陽光発電設備２００が存在しないためS1080に処理を進め、抑制制御フラグが１である場合には、抑制復帰管理テーブル６２０を参照して、解列中の太陽光発電設備２００の中から、電力系統１０００に復帰させる太陽光発電設備２００を選出する。
【００７４】
このとき系統制御装置１００は、まず、上記の計測値を基に、太陽光発電設備２００により増加させるべき電力供給量（分散型電源による発電量の増加量）を求め、次に、この増加量の分の電力供給を増加するために、電力系統１０００に並列するべき太陽光発電設備２００を選出する。
【００７５】
より具体的には、系統制御装置１００は、図５の抑制復帰管理テーブル６２０に記載されている解列中（抑制中）の太陽光発電設備２００に対して、図４に示した分散型電源情報テーブル６１０を参照しながら、上記の増加量に相当する電力を増加し得る太陽光発電設備２００の組み合わせを、各太陽光発電設備２００の発電量を元に選出する。例えば増加量が２０ＭＷ（メガワット）である場合には、並列対象として選出する太陽光発電設備２００の現在の発電量の合計値と、増加量である２０ＭＷと、の差分が所定値以下（例えば±５ＭＷ）となるように選出する。このような態様によれば、電力系統１０００における電力の状態を精度良く維持することが可能となる。
【００７６】
またその際に、系統制御装置１００は、最大抑制時間と合計抑制時間との比率が均等になるように、並列対象とする太陽光発電設備２００を選出する。
【００７７】
具体的には系統制御装置１００は、合計抑制時間／最大抑制時間の値が大きな太陽光発電設備２００ほど先に電力系統１０００に並列するように、優先順位（復帰順位）をつけて選出する。
【００７８】
続いて系統制御装置１００は、抑制復帰管理テーブル６２０の復帰順位に従って、各並列対象の太陽光発電設備２００のＰＣＳ２１０に対して電力系統１０００に並列するための並列指令を送信する（S1100）。このとき系統制御装置１００は、並列対象の太陽光発電設備２００が複数ある場合には、並列対象のそれぞれの太陽光発電設備２００に対して、逐次的に、並列指令を送信する。
【００７９】
そして系統制御装置１００は、電力系統１０００に設置されているいずれの太陽光発電設備２００も解列中ではない場合（全て連系中の場合）には、S1110においてＹに進み、抑制制御フラグを０に更新してS1080に進む。一方、電力系統１０００から解列中の太陽光発電設備２００が未だある場合には、抑制制御フラグを１にしたままS1080に進む。
【００８０】
このような態様によって、複数の太陽光発電設備２００が一斉に電力系統１０００に並列しないように制御できるので、電力系統１０００への影響が抑制され、電力の品質低下を防止することが可能となる。また各太陽光発電設備２００を電力系統１０００に逐次的に並列する際に、所定時間以上の間隔を空けながら行うことにより、太陽光発電設備２００を電力系統１０００に一つ並列する毎に変動する電力系統１０００の状態が安定するのを待ってから、次の太陽光発電設備２００を並列するか否かを判定することができるので、より一層電力系統１０００への影響を抑制し、電力の品質低下を防止することが可能となる。
【００８１】
なお上記実施形態では、系統制御装置１００が抑制復帰管理テーブル６２０を作成する場合に（S1060）、発電量の抑制量との差分が所定値以下となるような、一つ以上の太陽光発電設備２００の組み合わせを、電力系統１０００から解列可能な太陽光発電設備２００の中から選出するようにしたが、以下に記載するように、太陽光発電設備２００の選出を一つずつ逐次的に行うようにしても良い。
【００８２】
この場合、図６のフローチャートにおいて、S1040での抑制制御フラグが１である場合の処理のとび先がS1060の前に変更される。
【００８３】
例えば、系統制御装置１００は、解列対象として既に選出されている一つの太陽光発電設備２００に対して解列指令を送信してこの太陽光発電設備２００を電力系統１０００から解列した後（S1070）、所定時間待機（S1080）して再びS1010を実行する。そして系統制御装置１００は、新たに取得した計測値（発電機５１０の周波数）を目標値（第１判定値から第２判定値の範囲）と比較し、新たな計測値が第１判定値よりも未だ大きい場合には、引き続き電力系統１０００への供給電力を抑制すると判断する（S1030）。
【００８４】
そして系統制御装置１００は、抑制制御フラグ＝１であるため（S1040）、S1060に進み、次の解列対象の太陽光発電設備２００を一つ選出する（S1060）。このとき、系統制御装置１００は、上記の新たな計測値を基に、太陽光発電設備２００に削減させるべき電力供給量（分散型電源による発電量の抑制量）を求め、次に、この抑制量の分の電力供給を削減するために、電力系統１０００に連系中の太陽光発電設備２００の中から、次に解列させるべき太陽光発電設備２００を選出する。そして系統制御装置１００は、抑制復帰管理テーブル６２０の抑制順位第２位の欄に、つぎに解列させるべき太陽光発電設備２００を記載する。
【００８５】
そして系統制御装置１００はS1070の処理を実行し、抑制復帰管理テーブル６２０の次の抑制順位（第２位）に従って、太陽光発電設備２００のＰＣＳ２１０に対して電力系統１０００から解列させるための解列指令を送信する。
【００８６】
このような態様によっても、複数の太陽光発電設備２００が一斉に電力系統１０００から解列しないように制御できるので、電力系統１０００への影響が抑制され、電力の品質低下を防止することが可能となる。特に、太陽光発電設備２００を一つ解列させた後に次の解列対象の太陽光発電設備２００を選出するようにすることにより、ひとつ前の太陽光発電設備２００を解列させたことによる電力系統１０００への影響をその都度考慮しつつ、次の解列対象の太陽光発電設備２００を選出することができるため、電力系統１０００の最新の状態により適合した適切な太陽光発電設備２００を解列対象として選出することが可能となる。
【００８７】
また他の形態として、例えば、一旦、系統情報に基づいて解列対象の太陽光発電設備２００を選出した後は、新たな系統情報を取得することなく、順次、抑制順位に従って、解列対象の各太陽光発電設備２００に対して、逐次的に解列指令を送信するようにしても良い。
【００８８】
この場合、系統制御装置１００は、S1060において解列対象の太陽光発電設備２００を全て選出した後に、S1070において抑制順位の最も高い太陽光発電設備２００に対して解列指令を送信するが、その後、S1080において所定時間待機した後、そのままS1070に進み、次の抑制順位の太陽光発電設備２００に解列指令を送信することになる。
【００８９】
このような態様によっても、複数の太陽光発電設備２００が一斉に電力系統１０００から解列しないように制御できるので、電力系統１０００への影響が抑制され、電力の品質低下を防止することが可能となる。
【００９０】
以上、本実施形態に係る系統制御装置１００、系統制御装置１００の制御方法及び制御プログラム６００によれば、複数の太陽光発電設備２００が一斉に電力系統１０００から解列あるいは連系復帰しないように制御できるので、電力系統１０００における電力の変動が抑制され、電力の品質低下を防止することが可能となる。
【００９１】
なお上述した実施の形態は本発明の理解を容易にするためのものであり、本発明を限定して解釈するためのものではない。本発明はその趣旨を逸脱することなく変更、改良され得るとともに、本発明にはその等価物も含まれる。
【００９２】
例えば、上記実施形態では、太陽光発電設備２００を電力系統１０００から解列あるいは連系復帰させる場合について説明したが、風力発電設備、あるいは太陽光発電設備２００及び風力発電設備を含む分散型電源を電力系統１０００から解列あるいは連系復帰させるようにしても良い。
【００９３】
また例えば、上記実施形態では電力系統１０００が送電系統である場合を例に説明したが、配電系統であっても良い。
【符号の説明】
【００９４】
１００    系統制御装置
１１０    ＣＰＵ
１２０    メモリ
１３０    通信装置
１４０    記憶装置
１５０    入力装置
１６０    出力装置
１７０    記録媒体読取装置
２００    太陽光発電設備
２１０    ＰＣＳ
２２０    ソーラーパネル
５００    発電所
５１０    発電機
５２０    母線
５３０    保護装置
６００    制御プログラム
６１０    分散型電源情報テーブル
６２０    抑制復帰管理テーブル
７００    送電線
８００    記録媒体
１０００  電力系統
【図１】
0006547421.tif 000002
【図２】
0006547421.tif 000003
【図３】
0006547421.tif 000004
【図４】
0006547421.tif 000005
【図５】
0006547421.tif 000006
【図６】
0006547421.tif 000007